(57)【要約】【課題】承認を依頼する依頼者が複数人設定された利用者が行う出金又は振込処理に対する承認を、承認を行った依頼者以外の依頼者が確認することを可能にする。【解決手段】検知サーバ１００は、利用者端末１０、ＡＴＭ１１または営業店端末１２から利用者の口座に対する出金又は振込要求を受け付けた場合に、口座に対応付けられた複数の承認担当者の端末装置４０に、承認依頼を送信する。検知サーバ１００は、承認依頼を送信した複数の承認端末４０のうち、いずれかの承認端末４０から承認依頼を承認する旨の応答を受け付けた場合に、出金又は振込処理を実行する。検知サーバ１００は、出金又は振込処理を実行した後に、複数の承認端末４０のうち、承認依頼を承認した承認端末４０または承認依頼を承認したが最先でなかった承認端末４０に対して、他の承認担当者によって、承認がなされた旨を通知する。【選択図】図１
2015153226.tif 000002
【特許請求の範囲】
【請求項１】
コンピュータが実行する出金又は振込処理方法であって、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、少なくともいずれかの依頼先において承認処理が実行されると、前記出金又は振込処理を実行し、
前記複数の依頼先のうち、前記承認処理が実行されていない依頼先、又は、承認処理が行われた最先ではなかった依頼先に対して、他の依頼先による承認が実行された旨を通知する
処理を実行することを特徴とする出金又は振込処理方法。
【請求項２】
前記出金又は振込処理の要求は、認証装置によって、本人認証が確認された場合に生ずることを特徴とする請求項１に記載の出金又は振込処理方法。
【請求項３】
コンピュータが実行する出金又は振込処理方法であって、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、いずれの依頼先においても承認処理が承認期間までに実行されない場合に、前記口座についての前記出金又は振込処理を実行しない
処理を実行することを特徴とする出金又は振込処理方法。
【請求項４】
コンピュータに、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、少なくともいずれかの依頼先において承認処理が実行されると、前記出金又は振込処理を実行し、
前記複数の依頼先のうち、前記承認処理が実行されていない依頼先、又は、承認処理が行われた最先ではなかった依頼先に対して、他の依頼先による承認が実行された旨を通知する
処理を実行させることを特徴とする出金又は振込処理プログラム。
【請求項５】
コンピュータに、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、いずれの依頼先においても承認処理が承認期間までに実行されない場合に、前記口座についての前記出金又は振込処理を実行しない
処理を実行させることを特徴とする出金又は振込処理プログラム。
【請求項６】
出金、又は、振込処理の実行に先立って承認を依頼する複数の依頼先が登録された口座について、出金又は振込処理の要求があると、前記複数の依頼先に前記出金又は振込処理の承認依頼を送信する送信部と、
前記複数の依頼先のうち、少なくともいずれかの依頼先において承認処理が実行されると、前記出金又は振込処理を実行する実行部と、
前記複数の依頼先のうち、前記承認処理が実行されていない依頼先、又は、承認処理が行われた最先ではなかった依頼先に対して、他の依頼先による承認が実行された旨を通知する通知部と
を有することを特徴とする出金又は振込処理装置。
【請求項７】
出金、又は、振込処理の実行に先立って承認を依頼する複数の依頼先が登録された口座について、出金又は振込処理の要求があると、前記複数の依頼先に前記出金又は振込処理の承認依頼を送信する送信部と、
前記複数の依頼先のうち、いずれの依頼先においても承認処理が承認期間までに実行されない場合に、前記口座についての前記出金又は振込処理を実行しない制御部と
を有することを特徴とする出金又は振込処理装置。
【発明の詳細な説明】
【技術分野】
【０００１】
本発明は、出金又は振込処理方法等に関する。
【背景技術】
【０００２】
家族や知人の関係者を装って金銭の振込や手渡しを要求する、いわゆる振込詐欺による被害状況は依然として厳しく、振込詐欺を防止するための技術が求められている。例えば、口座所有者が自口座から金銭の振込を行う際に、第三者へメール等で振込の承認要求を通知し、第三者の承認を得られた場合に、振込処理を完了させることで、振込詐欺等を防止する技術がある。
【先行技術文献】
【特許文献】
【０００３】
【特許文献１】特開２００７−３１６９５９号公報
【発明の概要】
【発明が解決しようとする課題】
【０００４】
しかしながら、上述した従来技術では、承認を依頼する依頼者から依頼されたことに応じて行われる、複数人設定された第三者である依頼先による出金又は振込処理に対する承認を、承認を行った第三者以外の第三者が確認することができないという問題がある。
【０００５】
例えば、従来技術では、いずれかの第三者が承認すれば振込処理を行うことができるため、特定の第三者がむやみに承認を繰り返しても、この行為を他の第三者が確認することができない。
【０００６】
１つの側面では、承認を依頼する依頼者から依頼されたことに応じて行われる、複数人設定された第三者である依頼先による出金又は振込処理に対する承認を、承認を行った第三者以外の第三者が確認することができる出金又は振込処理方法、出金又は振込処理プログラムおよび出金又は振込処理装置を提供することを目的とする。
【課題を解決するための手段】
【０００７】
第１の案では、コンピュータが、下記の処理を実行する。コンピュータは、出金、又は、振込処理の実行に先立って承認を依頼する複数の依頼先が登録された口座について、出金又は振込処理の要求があると、複数の依頼先に出金又は振込処理の承認依頼を送信する。コンピュータは、複数の依頼先のうち、少なくともいずれかの依頼先において承認処理が実行されると、出金又は振込処理を実行する。コンピュータは、複数の依頼先のうち、承認処理が実行されていない依頼先、又は、承認処理が行われた最先ではなかった依頼先に対して、他の依頼先による承認が実行された旨を通知する。
【発明の効果】
【０００８】
本発明の１実施態様によれば、承認を依頼する依頼者から依頼されたことに応じて行われる、複数人設定された第三者である依頼先による出金又は振込処理に対する承認を、承認を行った第三者以外の第三者が確認することができるという効果を奏する。
【図面の簡単な説明】
【０００９】
【図１】図１は、本実施例に係るシステムの一例を示す図である。
【図２】図２は、本実施例に係る検知サーバの構成を示す機能ブロック図である。
【図３】図３は、承認管理テーブルのデータ構造の一例を示す図である。
【図４】図４は、承認者テーブルのデータ構造の一例を示す図である。
【図５】図５は、承認完了通知の一例を示す図である。
【図６】図６は、本実施例に係るシステムの処理手順を示すフローチャート（１）である。
【図７】図７は、本実施例に係るシステムの処理手順を示すフローチャート（２）である。
【図８】図８は、出金又は振込処理プログラムを実行するコンピュータの一例を示す図である。
【発明を実施するための形態】
【００１０】
以下に、本願の開示する出金又は振込処理方法、出金又は振込処理プログラムおよび出金又は振込処理装置の実施例を図面に基づいて詳細に説明する。なお、この実施例によりこの発明が限定されるものではない。
【実施例】
【００１１】
図１は、本実施例に係るシステムの一例を示す図である。図１に示すように、このシステムは、利用者端末１０、ＡＴＭ１１、営業店端末１２、ＩＢ（Internet  Banking）サーバ２０、ＡＴＭ（Automatic  Teller  Machine）サーバ２１、営業店サーバ２２、勘定系システム３０を有する。また、このシステムは、承認端末４０ａ，４０ｂ，４０ｃ、検知サーバ１００を有する。検知サーバ１００は、ネットワーク６０を介して、承認端末４０ａ，４０ｂ，４０ｃに接続される。検知サーバ１００は、出金又は振込処理装置の一例である。
【００１２】
利用者端末１０は、検知サーバ１００を介してＩＢサーバ２０にアクセスし、利用者の指定した口座に対する出金又は振込要求を行う装置である。例えば、利用者端末１０は、ＰＣ（Personal  Computer）やスマートフォン、タブレット端末等に対応する。
【００１３】
例えば、利用者端末１０は、利用者から口座に対する出金又は振込要求を受け付けた場合に、利用者に対する本人確認を行う。例えば、利用者端末１０は、利用者を識別する利用者識別情報と、パスワードとを対応付けたテーブルを保持する。利用者端末１０は、利用者から受け付ける利用者識別情報およびパスワードの組が、テーブルに保持されている場合に、本人確認がＯＫであると判定する。利用者端末１０は、本人確認がＯＫである場合に、出金又は振込要求の情報を、検知サーバ１００に送信する。
【００１４】
出金又は振込要求の情報には、出金又は振込を行う口座を特定する口座番号の情報、利用者識別情報が含まれる。以下に説明する出金又は振込要求の情報にも、同様の情報が含まれているものとする。
【００１５】
ＡＴＭ１１は、検知サーバ１００を介してＡＴＭサーバ２１にアクセスし、利用者の指定した口座に対する出金又は振込要求を行う装置である。
【００１６】
例えば、ＡＴＭ１１は、利用者から口座に対する出金又は振込要求を受け付けた場合に、利用者に対する本人確認を行う。例えば、ＡＴＭ１１は、利用者を識別する利用者識別情報と、パスワードとを対応付けたテーブルをＡＴＭサーバ２１から取得して保持する。ＡＴＭ１１は、利用者から受け付ける利用者識別情報およびパスワードの組が、テーブルに保持されている場合に、本人確認がＯＫであると判定する。ＡＴＭ１１は、本人確認がＯＫである場合に、出金又は振込要求の情報を、検知サーバ１００に送信する。
【００１７】
営業店端末１２は、検知サーバ１００を介して営業店サーバ２２にアクセスし、利用者の指定した口座に対する出金又は振込要求を行う装置である。例えば、営業店端末１２は、銀行営業店内に設置される。
【００１８】
例えば、営業店端末１２は、営業端末のオペレータが、利用者から口座に対する出金又は振込要求の相談を受け付けた場合に、本人確認を行う。オペレータは、本人確認がＯＫである場合に、営業店端末１２を操作して、出金又は振込要求の情報を、検知サーバ１００に送信する。なお、オペレータは、認証装置を用いて、利用者の本人確認を実行しても良い。
【００１９】
ＩＢサーバ２０は、検知サーバ１００を介して、利用者端末１０からの出金又は振込要求を受け付けた場合に、指定された口座に対する出金又は振込処理を、勘定系システム３０と協働して実行する装置である。
【００２０】
ＡＴＭサーバ２１は、検知サーバ１００を介して、ＡＴＭ１１から出金又は振込要求を受け付けた場合に、指定された口座に対する出金又は振込処理を、勘定系システム３０と協働して実行する装置である。
【００２１】
営業店サーバ２２は、検知サーバ１００を介して、営業店端末１２から出金又は振込要求を受け付けた場合に、指定された口座に対する出金又は振込処理を、勘定系システム３０と協働して実行する装置である。
【００２２】
勘定系システム３０は、金融機関での入金、出金や資金の決済、口座の管理を行う装置である。例えば、勘定系システム３０は、ＩＢサーバ２０、ＡＴＭサーバ２１、営業店サーバ２２と協働して、利用者に指定された口座に対する出金又は振込処理を実行する。
【００２３】
承認端末４０ａ，４０ｂ，４０ｃは、承認担当者が利用する端末装置であり、例えば、ＰＣやスマートフォン、タブレット端末等に対応する。以下の説明では、承認端末４０ａ，４０ｂ，４０ｃをまとめて適宜、承認端末４０と表記する。
【００２４】
ここで、承認担当者は、例えば、利用者本人と関係があり善意の人物であることが確認されている人物とする。例えば、利用者の家族、後見人に対応する。
【００２５】
承認端末４０は、後述する検知サーバ１００から、口座に対する出金又は振込処理の承認依頼を受け付けた場合に、この承認依頼を表示する。そして、承認装置４０は、承認担当者からの承認を受け付けた場合には、承認応答を検知サーバ１００に送信する。例えば、承認応答には、承認担当者を一意に特定する承認者識別情報、口座番号等の情報が含まれる。
【００２６】
承認端末４０は、検知サーバ１００から、承認完了通知を受け付けた場合には、承認確認通知を表示する。この承認確認通知は、承認依頼を受け付けたいずれかの承認担当者が、利用者による口座に対する出金又振込要求に対する承認依頼を承認したことを示す情報である。
【００２７】
検知サーバ１００は、利用者による口座に対する出金又振込要求に対する承認依頼を承認端末４０に要求し、いずれかの承認担当者が承認した場合に、すべての承認端末４０に対して、出金又は振込処理が承認されたことを通知する装置である。
【００２８】
具体的に、検知サーバ１００は、利用者端末１０、ＡＴＭ１１または営業店端末１２から利用者の口座に対する出金又は振込要求を受け付けた場合に、口座に対応付けられた複数の承認担当者の承認装置４０に、承認依頼を送信する。検知サーバ１００は、承認依頼を送信した複数の承認端末４０のうち、いずれかの承認端末４０から承認依頼を承認する承認応答を受け付けた場合に、出金又は振込処理を実行する。検知サーバ１００は、出金又は振込処理を実行した後に、複数の承認端末４０のうち、承認依頼を承認した承認端末４０または承認依頼を承認したが最先でなかった承認端末４０に対して、他の承認担当者によって、承認がなされた旨の承認完了通知を送信する。なおここで、承認した承認端末４０または行った承認が最先であった承認端末４０に対しても、承認完了通知を送信してもよい。
【００２９】
図２は、本実施例に係る検知サーバの構成を示す機能ブロック図である。図２に示すように、この検知サーバ１００は、通信部１１０、入力部１２０、表示部１３０、記憶部１４０、制御部１５０を有する。
【００３０】
通信部１１０は、利用者端末１０、ＡＴＭ１１、営業店端末１２、ＩＢサーバ２０、ＡＴＭサーバ２１、営業店サーバ２２、勘定系システム３０、承認端末４０とデータ通信を実行する処理部である。通信部１１０は、例えば、通信装置に対応する。後述する制御部１５０は、通信部１１０を介して、利用者端末１０、ＡＴＭ１１、営業店端末１２、ＩＢサーバ２０、ＡＴＭサーバ２１、営業店サーバ２２、勘定系システム３０、承認端末４０とデータをやりとりする。
【００３１】
入力部１２０は、各種の情報を端末装置１００に入力するための入力装置である。例えば、入力部１２０は、キーボード、マウス、タッチパネル等に対応する。
【００３２】
表示部１３０は、制御部１５０から出力される情報を表示する表示装置である。例えば、表示部１３０は、液晶ディスプレイやタッチパネル等に対応する。
【００３３】
記憶部１４０は、承認管理テーブル１４０ａおよび承認者テーブル１４０ｂを有する。例えば、記憶部１４０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００３４】
承認管理テーブル１４０ａは、口座に対して出金又は振込処理の要求を受け付けた場合に、係る処理を承認する承認担当者を特定するテーブルである。図３は、承認管理テーブルのデータ構造の一例を示す図である。図３に示すように、この承認管理テーブル１４０ａは、口座番号と、承認者識別情報とを対応付ける。
【００３５】
例えば、図３に示す１段目のレコードでは、口座番号「１２３４５６７８９」と承認者識別情報「Ｎ２０１，Ｎ２０２，Ｎ２０４、・・・」とが対応付けられる。このため、口座番号「１２３４５６７８９」に対する出金又は振込処理を行う場合には、承認者識別情報「Ｎ２０１，Ｎ２０２，Ｎ２０４、・・・」の承認端末４０に承認依頼を送信することになる。
【００３６】
承認者テーブル１４０ｂは、承認者に関する各種の情報を保持するテーブルである。図４は、承認者テーブルのデータ構造の一例を示す図である。図４に示すように、この承認者テーブル１４０ｂは、承認者識別情報、名前、連絡先を対応付ける。このうち、承認者識別情報は、承認担当者を一意に識別する情報である。名前は、承認担当者の名前である。連絡先は、承認担当者の連絡先であり、例えば、メールアドレスに対応する。当然ながら、承認担当者が利用するコンピュータに対して通知を送信できるアドレスであれば、メールアドレスに限る必要は無い。例えば、電子メールのアドレスの他、ＩＰアドレスやＭＡＣアドレスなどのネットワークアドレスを採用することもできる。
【００３７】
制御部１５０は、送信部１５０ａ、実行部１５０ｂ、通知部１３０ｃを有する。例えば、制御部１５０は、ＡＳＩＣ（Application  Specific  Integrated  Circuit）や、ＦＰＧＡ（Field  Programmable  Gate  Array）などの集積装置に対応する。また、制御部１５０は、例えば、ＣＰＵ（Central  Processing  Unit）やＭＰＵ（Micro  Processing  Unit）等の電子回路に対応する。
【００３８】
送信部１５０ａは、利用者端末１０、ＡＴＭ１１または営業店端末１２から、出金又は振込処理の要求を受け付けた場合に、口座に対する出金又は振込処理の承認依頼を、該当する承認端末４０に送信する処理部である。
【００３９】
送信部１５０ａは、出金又は振込処理の要求の情報に含まれる口座番号と、承認管理テーブル１４０ａと、承認者テーブル１４０ｂとを基にして、承認依頼の送信先を特定する。
【００４０】
例えば、送信部１５０ａは、出金又は振込処理の要求に含まれる口座番号と、承認管理テーブル１４０ａと比較して、口座番号に対応付けられる承認者識別番号を特定する。送信部１５０ａは、特定した承認者識別番号と、承認者テーブル１４０ｂとを比較して、連絡先を特定し、特定した連絡先に、承認依頼を送信する。
【００４１】
実行部１５０ｂは、いずれかの承認端末４０から、承認応答を受信した場合に、承認された口座に対する出金又は振込処理を実行する処理部である。そして、実行部１５０ｂは、処理結果を出金又は振込処理の要求元に通知する。
【００４２】
例えば、実行部１５０ｂは、利用者端末１０から、出金又は振込要求の情報を取得し、出金又は振込要求が承認された場合には、ＩＢサーバ２０に、利用者端末１０の出金又は振込処理の要求を送信することで、出金又は振込処理を実行する。
【００４３】
実行部１５０ｂは、ＡＴＭ１１から、出金又は振込要求の情報を取得し、出金又は振込要求が承認された場合には、ＡＴＭサーバ２１に、ＡＴＭ１１の出金又は振込処理の要求を送信することで、出金又は振込処理を実行する。
【００４４】
実行部１５０ｂは、営業店端末１２から、出金又は振込要求の情報を取得し、出金又は振込要求が承認された場合には、営業店サーバ２２に、営業店端末１２の出金又は振込処理の要求を送信することで、出金又は振込処理を実行する。
【００４５】
ところで、実行部１５０ｂは、送信部１５０ａが連絡先となる承認端末４０に承認依頼を送信してから所定時間経過しても、承認応答を受け付けない場合には、口座についての前記出金又は振込処理の実行を抑止する。実行部１５０ｂは、出金又は振込処理を中止した旨の処理結果を、出金又は振込処理の要求元に通知する。
【００４６】
通知部１５０ｃは、承認応答を受信した場合に、承認処理が実行されていない承認端末４０および、承認処理が行われた最先でなかった承認端末４０に対して、承認完了通知を送信する処理部である。
【００４７】
例えば、通知部１５０ｃは、承認応答に含まれる口座番号と、承認管理テーブル１４０ａとを比較して、口座番号に対応付けられた承認者識別情報を特定する。通知部１５０ｃは、特定した承認者識別情報のうち、承認応答に含まれる承認者識別情報以外の承認者識別情報の連絡先を、承認者テーブル１４０ｂから特定する。通知部１５０ｃは、特定した連絡先に、承認完了通知を送信する。
【００４８】
図５は、承認完了通知の一例を示す図である。図５に示すように、例えば、承認完了通知５には、利用者、承認担当者を一意に特定する情報、口座を一意に特定する情報を含んでも良い。なお、適宜、口座番号の一部を黒塗り表示するなどして、情報漏洩を防止しても良い。
【００４９】
次に、本実施例に係るシステムの処理手順について説明する。図６および図７は、本実施例に係るシステムの処理手順を示すフローチャートである。なお、ここでは説明の便宜上、利用者が、利用者端末１０を用いて、出金又は振込要求を行う場合について説明する。
【００５０】
図６に示すように、利用者端末１０は、利用者に対する本人確認を実行し、本人確認ＯＫであるか否かを判定する（ステップＳ１０１）。利用者端末１０は、本人確認ＮＧの場合には（ステップＳ１０１，Ｎｏ）、処理を終了する。
【００５１】
一方、利用者端末１０は、本人確認ＯＫである場合には（ステップＳ１０１，Ｙｅｓ）、出金又は振込要求を検知サーバ１００に送信する（ステップＳ１０２）。検知サーバ１００は、出金又は振込要求を受信する（ステップＳ１０３）。
【００５２】
検知サーバ１００は、口座に紐付く承認担当者が存在するか否かを判定する（ステップＳ１０４）。検知サーバ１００は、口座に紐付く承認担当者が存在しない場合には（ステップＳ１０４，Ｎｏ）、図７のステップＳ１１２に移行する。
【００５３】
一方、検知サーバ１００は、口座に紐付く承認担当者が存在する場合には（ステップＳ１０４，Ｙｅｓ）、口座に紐付く承認担当者の承認端末４０に一斉承認依頼を行う（ステップＳ１０５）。
【００５４】
承認端末４０は、承認依頼を受信する（ステップＳ１０６）。承認端末４０は、承認担当者の承認を受け付けた場合に、承認応答を検知サーバ１００に送信する（ステップＳ１０７）。
【００５５】
検知サーバ１００は、所定時間以内に承認応答を承認端末４０から受け付けたか否かを判定する（ステップＳ１０８）。検知サーバ１００は、所定時間以内に承認応答を受け付けていない場合には（ステップＳ１０８，Ｎｏ）、図７のステップＳ１１３に移行する。一方、検知サーバ１００は、所定時間以内に承認応答を受け付けた場合には（ステップＳ１０８，Ｙｅｓ）、図７のステップＳ１０９に移行する。
【００５６】
図７の説明に移行する。検知サーバ１００は、承認したが最早ではない承認担当者および承認していない承認担当者の承認端末４０に、承認完了通知を送信する（ステップＳ１０９）。承認端末４０は、承認完了通知を受信し（ステップＳ１１０）、承認完了通知を表示する（ステップＳ１１１）。
【００５７】
検知サーバ１００は、出金又は振込処理を実行し（ステップＳ１１２）、処理結果を利用者端末１０に送信する（ステップＳ１１３）。利用者端末１０は、処理結果を受信する（ステップＳ１１４）。
【００５８】
次に、本実施例に係る検知サーバ１００の効果について説明する。検知サーバ１００は、利用者による出金又振込要求に対する承認依頼を承認端末４０に要求し、いずれかの承認担当者が承認した場合に、すべての承認端末４０に対して、出金又は振込処理が承認されたことを通知する。これによって、複数の承認担当者が設定された利用者が行う出金又は振込処理に対する承認を、承認を行った承認担当者以外の承認担当者が確認することができる。また、承認を行った承認担当者以外の承認担当者が確認することができることで、例えば、特定の承認担当者がやみくもに繰り返し承認を行うことを抑止することができる。
【００５９】
また、検知サーバ１００は、利用者端末１０、ＡＴＭ１１、営業店端末１２による本人認証がＯＫとなった利用者の出金又は振込処理の要求を受け付ける。このため、適切な利用者による出金又は振込処理の要求についてのみ、承認要求を、承認端末４０に送信することができる。
【００６０】
検知サーバ１００は、送信部１５０ａが連絡先となる承認端末４０に承認依頼を送信してから所定時間経過しても、承認応答を受け付けない場合には、口座についての前記出金又は振込処理の実行を抑止する。このため、承認応答の遅延により、未完了の処理がそのまま放置されることを防止することができる。
【００６１】
ところで、本実施例に係る検知サーバ１００は、利用者端末１０から出金又は振込要求を受け付け、口座に紐付く承認担当者が存在する場合に、全承認担当者に承認依頼を一斉送信していたが、これに限定されるものではない。例えば、口座毎に出金又は振込の上限金額を予め設定しておき、検知サーバ１００は、出金又は振込要求の金額がかかる上限金額以上である場合に、承認依頼を送信してもよい。
【００６２】
次に、上記実施例に示した検知サーバ１００と同様の機能を実現する出金又は振込処理プログラムを実行するコンピュータの一例について説明する。図８は、出金又は振込処理プログラムを実行するコンピュータの一例を示す図である。
【００６３】
図８に示すように、コンピュータ２００は、各種演算処理を実行するＣＰＵ２０１と、利用者からのデータの入力を受け付ける入力装置２０２と、ディスプレイ２０３を有する。また、コンピュータ２００は、記憶媒体からプログラム等を読取る読み取り装置２０４と、ネットワークを介して他のコンピュータとの間でデータの授受を行うインターフェース装置２０５とを有する。また、コンピュータ２００は、各種情報を一時記憶するＲＡＭ２０６と、ハードディスク装置２０７を有する。そして、各装置２０１〜２０７は、バス２０８に接続される。
【００６４】
ハードディスク装置２０７は、送信プログラム２０７ａ、実行プログラム２０７ｂ、通知プログラム２０７ｃを有する。ＣＰＵ２０１は、各プログラム２０７ａ〜２０７ｃを読み出してＲＡＭ２０６に展開する。
【００６５】
送信プログラム２０７ａは、送信プロセス２０６ａとして機能する。実行プログラム２０７ｂは、実行プロセス２０６ｂとして機能する。通知プログラム２０７ｃは、通知プロセス２０６ｃとして機能する。
【００６６】
例えば、送信プロセス２０６ａは、送信部１５０ａに対応する。実行プロセス２０６ｂは、実行部１５０ｂに対応する。通知プロセス２０６ｃは、通知部１５０ｃに対応する。
【００６７】
なお、各プログラム２０７ａ〜２０７ｃについては、必ずしも最初からハードディスク装置２０７に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００がこれらから各プログラム２０７ａ〜２０７ｃを読み出して実行するようにしてもよい。
【００６８】
以上の各実施例を含む実施形態に関し、さらに以下の付記を開示する。
【００６９】
（付記１）コンピュータが実行する出金又は振込処理方法であって、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、少なくともいずれかの依頼先において承認処理が実行されると、前記出金又は振込処理を実行し、
前記複数の依頼先のうち、前記承認処理が実行されていない依頼先、又は、承認処理が行われた最先ではなかった依頼先に対して、他の依頼先による承認が実行された旨を通知する
処理を実行することを特徴とする出金又は振込処理方法。
【００７０】
（付記２）前記出金又は振込処理の要求は、認証装置によって、本人認証が確認された場合に生ずることを特徴とする付記１に記載の出金又は振込処理方法。
【００７１】
（付記３）コンピュータが実行する出金又は振込処理方法であって、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、いずれの依頼先においても承認処理が承認期間までに実行されない場合に、前記口座についての前記出金又は振込処理を実行しない
処理を実行することを特徴とする出金又は振込処理方法。
【００７２】
（付記４）コンピュータに、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、少なくともいずれかの依頼先において承認処理が実行されると、前記出金又は振込処理を実行し、
前記複数の依頼先のうち、前記承認処理が実行されていない依頼先、又は、承認処理が行われた最先ではなかった依頼先に対して、他の依頼先による承認が実行された旨を通知する
処理を実行させることを特徴とする出金又は振込処理プログラム。
【００７３】
（付記５）前記出金又は振込処理の要求は、認証装置によって、本人認証が確認された場合に生ずることを特徴とする付記４に記載の出金又は振込処理プログラム。
【００７４】
（付記６）コンピュータに、
出金、又は、振込処理の実行に先立って承認を依頼する複数の依頼先が登録された口座について、出金又は振込処理の要求があると、前記複数の依頼先に前記出金又は振込処理の承認依頼を送信し、
前記複数の依頼先のうち、いずれの依頼先においても承認処理が承認期間までに実行されない場合に、前記口座についての前記出金又は振込処理を実行しない
処理を実行させることを特徴とする出金又は振込処理プログラム。
【００７５】
（付記７）出金、又は、振込処理の実行に先立って承認を依頼する複数の依頼先が登録された口座について、出金又は振込処理の要求があると、前記複数の依頼先に前記出金又は振込処理の承認依頼を送信する送信部と、
前記複数の依頼先のうち、少なくともいずれかの依頼先において承認処理が実行されると、前記出金又は振込処理を実行する実行部と、
前記複数の依頼先のうち、前記承認処理が実行されていない依頼先、又は、承認処理が行われた最先ではなかった依頼先に対して、他の依頼先による承認が実行された旨を通知する通知部と
を有することを特徴とする出金又は振込処理装置。
【００７６】
（付記８）前記出金又は振込処理の要求は、認証装置によって、本人認証が確認された場合に生ずることを特徴とする付記７に記載の出金又は振込処理装置。
【００７７】
（付記９）出金、又は、振込処理の実行に先立って承認を依頼する複数の依頼先が登録された口座について、出金又は振込処理の要求があると、前記複数の依頼先に前記出金又は振込処理の承認依頼を送信する送信部と、
前記複数の依頼先のうち、いずれの依頼先においても承認処理が承認期間までに実行されない場合に、前記口座についての前記出金又は振込処理を実行しない制御部と
を有することを特徴とする出金又は振込処理装置。
【符号の説明】
【００７８】
１０  利用者装置
１１  ＡＴＭ
１２  営業店端末
２０  ＩＢサーバ
２１  ＡＴＭサーバ
２２  営業店サーバ
３０  勘定系システム
４０ａ，４０ｂ，４０ｃ  承認端末
１００  検知サーバ
【図１】
2015153226.tif 000003
【図２】
2015153226.tif 000004
【図３】
2015153226.tif 000005
【図４】
2015153226.tif 000006
【図５】
2015153226.tif 000007
【図６】
2015153226.tif 000008
【図７】
2015153226.tif 000009
【図８】
2015153226.tif 000010